(57)【要約】      （修正有）【課題】ボルトにチューブを巻き付け、チューブの中の製品をキャップ口の端まで容易に絞り出し切り、壊れにくい金属ボルトで、簡単に使用でき、無駄をなくす。【解決手段】ステンレス等金属のボルト１を片側２ｃｍ程開け、ボルト１の中央に幅２ｍｍ程度の隙間２を片側はボルト１の端まで隙間を抜き、２ｃｍ開けた断面に幅５ｍｍ、長さ７ｃｍ程の鞘３を施し、手回し取っ手のボルト１を施す。２ｃｍ開けた中央に手回し取っ手ボルトを入れ、鞘は断面側へネジ式で固定し、輪の取っ手は２ｃｍ開けたボルトの断面に鞘をネジ式等で施し、金属のボルトを六角形で使用、片側２ｃｍ程開け、ボルトの中央に幅２ｍｍ程度の隙間を片側ボルトの端まで抜き、２ｃｍ開けた断面と２ｃｍ開けた中央に、各手回し用の取っ手ボルトを施し、金型を作り金型でチューブ出しボルトを施工する。【選択図】図１
2008247474.tif 000002
【特許請求の範囲】
【請求項１】
ステンレス等金属のボルトを片側２ｃｍ程開け、ボルトの中央に幅２ｍｍ程度の隙間を片側はボルトの端まで隙間を抜き、各、円周側断面に幅５ｍｍ、長さ７ｃｍ程の鞘を施す事とし、（ボルトの長さ、太さに合わせ調節す）（１）片側２ｃｍ開けた断面側に穴を開け鞘を入れ、手回し用のＴ型ボルトを入れネジで止め、（２）２ｃｍ開けた中央に穴を開け手回し用のボルトを入れ、断面に鞘をネジ式等で固定したり、（３）２ｃｍ開けた断面に穴を開け鞘を入れ手回し用の輪のボルトを入れる事とし、（１）（２）（３）の各取っ手はネジ式等としたものであり、片隅まで開けた隙間にチューブ口反対側の末端を差込み、チューブを手で押さえ取っ手を回す事に寄りチューブがボルトに巻き付き又、キャップ口に残った製品は鞘を施した面に当て押し出す事により残りを搾り出す事が出来、簡単に無駄なく最後までチューブ内の製品が出て使用出来る事を特徴とする簡単チューブ出しボルト。
【請求項２】
ステンレス等金属のボルトを六角形で使用、ボルト中央に幅２ｍｍ程度の隙間を片側２ｃｍ程開け片側は端まで隙間を抜き、（１）片側２ｃｍ開けた断面に穴を開け手回し用のＴ型ボルトを入れ、（２）２ｃｍ開けた中央に穴を開け、手回し用のボルトを入れ、（３）２ｃｍ開けた断面に穴を開け手回し用の輪のボルトを入れ、（１）（２）（３）で金型を作り金型でチューブ出しボルトを施工することにより、各隙間からチューブ口反対側の末端を差込み、チューブを手で押さえ各、取っ手を回す事によりチューブがボルトに巻き付き、ボルトを六角形にした事で角の所でキャップ口に残った製品を搾り出す事が出来、最後まで簡単に無駄なくチューブ内の製品が出て使用出来る事を特徴とする簡単チューブ出しボルト。
【請求項３】
ステンレス等の金属のボルトに、幅２ｍｍ、高さ３ｍｍ程度の山を５ｍｍ程度間隔で施し、ボルト中央に幅２ｍｍ程度の隙間を片側２ｃｍ程開け片側は端まで隙間を抜き、（１）片側２ｃｍ開けた断面に穴を開け手回し用のＴ型ボルトを入れ、（２）２ｃｍ開けた中央に穴を開け手回し用のボルトを入れ、（３）２ｃｍ開けた断面に穴を開け手回し用の輪のボルトを入れ、（１）（２）（３）で金型を作り金型でチューブ出しボルトを施工することにより、各隙間からチューブ口反対側の末端を差込み、チューブを手で押さえ各取っ手を回す事により、チューブがボルトに巻き付き、ボルトの円周に山を施した事で山の所にキャップ口を当て巻くことに寄りキャップ口に残った製品が搾り出す事が出来、最後まで簡単に無駄なくチューブ内の製品が出て使用出来る事を特徴とする簡単チューブ出しボルト。
【発明の詳細な説明】
【技術分野】
【０００１】  本発明は、容易に搾り出し切る事が出来ない、あらゆる素材のチューブの中の製品を簡単に無駄なく絞り出し切る事が出来る事を図ったボルトに関する。
【背景技術】
【０００２】  現時点に於いて、文具用品、薬品、工業用品、建築用品、事務用品、美容用品、生活必需用品のチューブ製品に至って、あらゆる品種のチューブは中の製品が容易に絞り出し切る事が出来ず、貴重な製品が最後まで使用出来ない。
【特許文献１】
【特許文献２】
【特許文献３】
【非特許文献１】
【非特許文献２】
【発明の開示】
【発明が解決しようとする課題】
【０００３】  以上に述べたあらゆるチューブ製品に於いて、チューブの素材に関わらず、チューブ内の製品を最後まで、絞り出し切れない。【０００４】  本発明は、此の様な従来の絞り出し切れないチューブ内の製品を金型でボルトを施工し、又、ネジ式とし、そのボルトにチューブを巻き付け、チューブの中の製品をキャップ口の端まで容易に絞り出し切り、壊れにくい金属ボルトで、簡単に使用でき、無駄をなくす事を目的とするものである。
【課題を解決するための手段】
【０００５】  第１の解決手段は、ステンレス等金属のボルトで取っ手をＴ型、十字型、輪型とし、取っ手側２ｃｍ程開け中央に隙間を２ｍｍ程片側は端まで抜き、２ｃｍ開けた断面に鞘を施し、Ｔ型、十型、輪型の取っ手をネジ式等とし、十型の鞘は２ｃｍ開けた断面にネジ式を施し入れボルトを施工する。【０００６】  第２の解決手段は、ステンレス等金属のボルトを六角形で使用、取っ手をＴ型、十字型、輪型とし、取っ手側２ｃｍほど開け中央に幅２ｍｍ程度の隙間を片側端まで抜き金型を作り金型でボルトを施工する。【０００７】  第３の解決手段はステンレス等金属のボルトに幅２ｍｍ、高さ３ｍｍ程度の山を５ｍｍ程度の間隔で施し、取っ手をＴ型、十字型、輪型とし、取っ手側２ｃｍほど開け中央に幅２ｍｍ程度の隙間を片側端まで抜き金型を作り金型でボルトを施工する。【０００８】  上記第１の解決手段による作用はチューブ口反対側の末端を隙間に差し込み各取っ手を回し、キャップ口に残った製品はボルトに施工した鞘に当て回す事により最後まで搾り出る。第２の解決手段による作用はチューブ口反対側の末端を隙間に差し込み施工した取っ手を回し、キャップ口に残った製品は六角形の角にキャップ口が当たる事により最後まで搾り出る。第３の解決手段による作用は手回し取っ手を回し、キャップ口に残った製品はボルトに施した山がキャップ口に当たる事により最後まで絞り出る。又、２ｃｍ開けた中央に施工した取っ手は回す力が強い為、工業用品、建築用品の大きなチューブにも効力を出す。取っ手を輪にした事で力の弱い人でも握り易く使用し易い。又、ステンレス等金属のボルトにした事で巻き込んだままでチューブをボルトから抜き取り再度巻き込んだ所からボルトの隙間を差込みチューブを巻き戻す事なく使用でき、現場では簡単に使用出来、壊れない製品が要求される為、多種類の分野のチューブ製品に効力を出し、問題点を解決するという効果を発揮する。
【発明の効果】
【０００９】  上述した様に本発明の簡単チューブ出しボルトは、ボルトの長さ、太さを調節する事に寄り、文具用品、薬品、工業用品、建築用品、事務用品、美容用品、生活必需用品とあらゆる素材のチューブの中の貴重な製品を搾り出す事が簡単に使用でき、壊れずらいボルトにより、最後まで絞りきれるという効果を発揮するものである。【００１０】  以下、本発明の実施の形態を図１〜図４に基づいて説明する。【００１１】  ［図１］に於いては、（１Ａ）の（１）はＴ型ボルト。（２）は中央の隙間（３）はボルトに施した鞘。［図４］の（１Ａ）は一部切断面図。（２Ａ）の（４）はボルト。（５）は手回し用の取っ手。（６）は中央の隙間。（７）はボルトに施した鞘。（７Ｂ）は鞘を止めるネジ。［図４］の（２Ａ）は一部切断面図。（３Ａ）（８）はボルトに施工した輪の取っ手。（９）はボルト。（１０）は中央の隙間。（１１）はボルトに施した鞘。［図４］の（３Ａ）は一部切断面図。（７Ｂは鞘を止めるネジ。
［図２］に於いては、（１Ａ）の（１２）は六角形Ｔ型ボルト（１３）は取っ手。（１４）は中央の隙間［図４］の（４Ａ）は一部切断面図。（２Ａ）の（１５）は六角形ボルト。（１６）は取っ手。（１７）は中央の隙間。［図４］の（５Ａ）は一部切断面図。（３Ａ）の（１８）は六角形ボルト。（１９）はボルトに施した輪の取っ手。（２０）は中央の隙間。［図４］の（６Ａ）は一部切断面図。
［図３］に於いては、（１Ａ）の（２１）は３ｍｍの山を施したボルト。（２２）は取っ手。（２３）は中央の隙間。［図４］の（７Ａ）は一部切断面図。（２Ａ）の（２４）は３ｍｍの山を施したボルト。（２５）は取っ手。（２６）は中央の隙間。［図４］の（８Ａ）は一部切断面図。（３Ａ）の（２７）は３ｍｍの山を施したボルト。（２８）はボルトに施した輪の取っ手。（２９）は中央の隙間。
［図４］の（９Ａ）は一部切断面図。
【図面の簡単な説明】
【００１２】
【図１】（１Ａ）本発明の正面図（２Ａ）本発明の正面図（３Ａ）本発明の正面図
【図２】（１Ａ）本発明の正面図（２Ａ）本発明の正面図（３Ａ）本発明の正面図
【図３】（１Ａ）本発明の正面図（２Ａ）本発明の正面図（３Ａ）本発明の正面図
【図４】（１Ａ）一部切断面図（２Ａ）一部切断面図（３Ａ）一部切断面図（４Ａ）一部切断面図（５Ａ）一部切断面図（６Ａ）一部切断面図（７Ａ）一部切断面図（８Ａ）一部切断面図（９Ａ）一部切断面図
【符号の説明】
【００１３】［図１］（１Ａ）（１）Ｔ型ボルト
（２）中央の隙間
（３）ボルトに施した鞘  ［図４］（１Ａ）一部切断面図
（２Ａ）（４）ボルト
（５）手回し取っ手
（６）中央の隙間
（７）ボルトに施した鞘
（７Ｂ）鞘を止めるネジ  ［図４］（２Ａ）一部切断面図
（３Ａ）（８）輪の取っ手
（９）ボルト
（１０）中央の隙間
（１１）ボルトに施した鞘
（７Ｂ）鞘を止めるネジ  ［図４」（３Ａ）一部切断面図
［図２」（１Ａ）（１２）六角形Ｔ型ボルト
（１３）取っ手
（１４）中央の隙間      ［図４］（４Ａ）一部切断面図
（２Ａ）（１５）六角形Ｔ型ボルト
（１６）取っ手
（１７）中央の隙間      ［図４］（５Ａ）一部切断面図
（３Ａ）（１８）六角形ボルト
（１９）輪の取っ手
（２０）中央の隙間      ［図４」（６Ａ）一部切断面図
［図３］（１Ａ）（２１）山を施したボルト
（２２）取っ手
（２３）中央の隙間      ［図４］（７Ａ）一部切断面図
（２Ａ）（２４）山を施したボルト
（２５）取っ手
（２６）中央の隙間      ［図４］（８Ａ）一部切断面図
（３Ａ）（２７）山を施したボルト
（２８）輪の取っ手
（２９）中央の隙間      ［図４］（９Ａ）一部切断面図
【図１】
2008247474.tif 000003
【図２】
2008247474.tif 000004
【図３】
2008247474.tif 000005
【図４】
2008247474.tif 000006